(57)【特許請求の範囲】
【請求項１】
電源端子とグランド端子間に２のｎ乗個所の分圧点を有する抵抗を接続し、各分圧点からバッファアンプおよび内部接続端子を介して２のｎ乗階調の階調電圧を出力する階調電圧供給回路を内蔵し、ｎビットのデータ信号に基づいて液晶パネルのデータ線を前記階調電圧で駆動する液晶駆動用半導体集積回路において、階調電圧供給回路が、前記各分圧点に接続される外部接続端子と、前記各外部接続端子と各分圧点間に接続された第１スイッチと、前記各分圧点と各バッファアンプ間に接続された第２スイッチと、前記各外部接続端子および各第１スイッチの接続点と各第２スイッチおよび各バッファアンプの接続点間に接続された第３スイッチとを含むことを特徴とする液晶駆動用半導体集積回路。
【請求項２】
請求項１記載の液晶駆動用半導体集積回路を複数備え、各液晶駆動用半導体集積回路間で前記各外部接続端子を接続し、そのうち１つの液晶駆動用半導体集積回路は、前記第１スイッチおよび第２スイッチをオン制御するとともに、前記第３スイッチをオフ制御して駆動し、残りの液晶駆動用半導体集積回路は、前記第３スイッチをオン制御するとともに、前記第１スイッチおよび第２スイッチをオフ制御して駆動する液晶表示装置。
【請求項３】
電源端子とグランド端子間に２のｎ乗個所の分圧点を有する抵抗を接続し、各分圧点からバッファアンプおよび内部接続端子を介して２のｎ乗階調の階調電圧を出力する階調電圧供給回路を内蔵し、ｎビットのデータ信号に基づいて液晶パネルのデータ線を前記階調電圧で駆動する液晶駆動用半導体集積回路において、階調電圧供給回路が、前記各分圧点に接続される外部接続端子と、前記各外部接続端子と各分圧点間に接続された第１スイッチと、前記各分圧点と各バッファアンプ間に接続された第２スイッチと、前記各外部接続端子および各第１スイッチの接続点と各第２スイッチおよび各バッファアンプの接続点間に接続された第３スイッチと、前記各外部接続端子および各第１スイッチの接続点と各バッファアンプおよび各内部接続端子の接続点間に接続された第４スイッチとを含むことを特徴とする液晶駆動用半導体集積回路。
【請求項４】
請求項３記載の液晶駆動用半導体集積回路を複数備え、各液晶駆動用半導体集積回路間で前記各外部接続端子を接続し、そのうち１つの液晶駆動用半導体集積回路は、前記第１スイッチおよび第２スイッチをオン制御するとともに、前記第３スイッチおよび第４スイッチをオフ制御して駆動し、または、前記第２スイッチおよび第４スイッチをオン制御するとともに、前記第１スイッチおよび第３スイッチをオフ制御して駆動し、残りの液晶駆動用半導体集積回路は、前記第３スイッチをオン制御するとともに、前記第１スイッチ、第２スイッチおよび第４スイッチをオフ制御して駆動する液晶表示装置。
【発明の詳細な説明】
【０００１】
【発明の属する技術分野】
本発明は液晶駆動用半導体集積回路および液晶表示装置に関し、特にγカーブ補正電源回路を内蔵した液晶駆動用半導体集積回路およびその液晶駆動用半導体集積回路を用いた液晶表示装置に関する。
【０００２】
【従来の技術】
液晶表示装置は、図５に示すように、液晶パネル１００と液晶パネル１００の外周に配置した駆動装置２００とを具備している。液晶パネル１００は、１画素を例えば４０９６色のカラー表示するためにＲ（赤）、Ｇ（緑）、Ｂ（青）の３サブ画素を各１６階調表示で必要とし、例えば水平方向３８４個×垂直方向１６０個の画素（水平方向３８４×３＝１１５２個×垂直方向１６０個のサブ画素）を備え、サブ画素を構成する画素電極およびＴＦＴ（薄膜トランジスタ）がマトリックス状に形成されたリア側のガラス基板と、コモン電極およびカラーフィルタが形成されたフロント側のガラス基板とが液晶を介して互いに対向配置され、ＴＦＴと画素電極に、水平方向に延在し垂直方向に並設される１６０本の走査線と、垂直方向に延在し水平方向に並設される１１５２本のデータ線が接続されて構成されている。駆動装置２００は、液晶パネル１００の１１５２本のデータ線に３８４本ずつ接続される３個の水平ドライバＩＣ２１０と、１６０本の走査線に接続される１個の垂直ドライバＩＣ２２０とで構成されている。水平ドライバＩＣ２１０は、液晶パネル１００の上側外周に３個がカスケード接続で片側配置され、垂直ドライバＩＣ２２０は、液晶パネル１００の左側外周に１個が片側配置される。垂直ドライバＩＣ２２０から各走査線に線順次に走査信号が供給されることにより、走査信号が供給された走査線に接続されている各ＴＦＴがオンし、水平ドライバＩＣ２１０から各データ線に供給された１６階調の駆動電圧がこのオンしたＴＦＴを介して対応する画素電極に供給され、コモン電極に供給される電圧との電位差で液晶を駆動する。
【０００３】
次に、水平ドライバＩＣ２１０としての従来の水平ドライバＩＣ１０について、図６を参照して説明する。水平ドライバＩＣ１０は、３８４本のデータ線に対応して表示データとしてｎ＝４ビットの階調データ信号Ｄ３〜Ｄ０を内部の図示しない回路に供給することにより、出力回路１１から階調データ信号Ｄ３〜Ｄ０に基づいた１６階調の階調電圧を駆動電圧として３８４本のデータ線に出力するもので、出力回路１１への階調電圧を供給するγカーブ補正電源回路１２を内蔵している。
【０００４】
γカーブ補正電源回路１２は、図７に示すように、電源端子ＶAAとグランド端子ＶSS間に直列接続された抵抗Ｒ０〜Ｒ１６と、各分圧点Ｐ０〜Ｐ１５の電位を出力するバッファアンプＡ０〜Ａ１５と、各分圧点Ｐ０〜Ｐ１５に接続された外部接続端子Ｖ0〜Ｖ15と、出力回路１１に接続された内部接続端子Ｖ０’〜Ｖ１５’とを含んでいる。水平ドライバＩＣ１０を図５に示すように、水平ドライバＩＣ２１０として使用する場合、外部接続端子Ｖ0〜Ｖ15をオープンにして、各水平ドライバＩＣ１０はそれぞれの内蔵のγカーブ補正電源回路１２からの階調電圧をそれぞれの出力回路１１に供給する。また、各水平ドライバＩＣ１０は、外部接続端子Ｖ0〜Ｖ15の所定端子に外付けのγカーブ補正電源を接続して、それぞれの内蔵のγカーブ補正電源回路１２から階調電圧をそれぞれの出力回路１１に供給することもできる。
【０００５】
【発明が解決しようとする課題】
ところで、各水平ドライバＩＣ１０に内蔵のγカーブ補正電源回路１２に含まれる抵抗Ｒ０〜Ｒ１６は、製造ばらつきにより、水平ドライバＩＣ１０間で抵抗値にばらつきがある。そのため、上述したように、３個の水平ドライバＩＣ１０をカスケード接続し、外部接続端子Ｖ0〜Ｖ15をオープンにして、各水平ドライバＩＣ１０ごとにそれぞれ独立して内蔵のγカーブ補正電源回路１２からの諧調電圧によりデータ線を駆動した場合、各水平ドライバＩＣ１０により同一諧調でデータ線を駆動しても、駆動電圧は全く同一とはならず、表示される色が異なるという問題があり、水平ドライバＩＣ１０間で表示される色の精度を要求する場合、外付けのγカーブ補正電源を接続する必要があった。
本発明は上記問題点に鑑み、カスケード接続される複数個のうち１個の水平ドライバＩＣのγカーブ補正電源回路を共用することにより水平ドライバＩＣ間で諧調電圧にばらつきを生じない液晶駆動用半導体集積回路およびその液晶駆動用半導体集積回路を用いた液晶表示装置を提供することを目的とする。
【０００６】
【課題を解決するための手段】
（１）本発明の液晶駆動用半導体集積回路は、γカーブ補正電源回路を内蔵した液晶駆動用半導体集積回路において、
γカーブ補正電源回路が、内部で生成した階調電圧を内部回路とγカーブ補正電源回路に設けた外部接続端子とに選択的に供給可能であり、さらに外部からの階調電圧を前記外部接続端子に供給し内部回路に選択的に供給可能としたことを特徴とする
（２）本発明の液晶駆動用半導体集積回路は、電源端子とグランド端子間に２のｎ乗個所の分圧点を有する抵抗を接続し、各分圧点からバッファアンプおよび内部接続端子を介して２のｎ乗階調の階調電圧を出力するγカーブ補正電源回路を内蔵し、ｎビットのデータ信号に基づいて液晶パネルのデータ線を前記階調電圧で駆動する液晶駆動用半導体集積回路において、
γカーブ補正電源回路が、前記各分圧点に接続される外部接続端子と、前記各外部接続端子と各分圧点間に接続された第１スイッチと、前記各分圧点と各バッファアンプ間に接続された第２スイッチと、前記各外部接続端子および各第１スイッチの接続点と各第２スイッチおよび各バッファアンプの接続点間に接続された第３スイッチとを含むことを特徴とする。
（３）本発明の液晶駆動用半導体集積回路は、電源端子とグランド端子間に２のｎ乗個所の分圧点を有する抵抗を接続し、各分圧点からバッファアンプおよび内部接続端子を介して２のｎ乗階調の階調電圧を出力するγカーブ補正電源回路を内蔵し、ｎビットのデータ信号に基づいて液晶パネルのデータ線を前記階調電圧で駆動する液晶駆動用半導体集積回路において、
γカーブ補正電源回路が、前記各分圧点に接続される外部接続端子と、前記各外部接続端子と各分圧点間に接続された第１スイッチと、前記各分圧点と各バッファアンプ間に接続された第２スイッチと、前記各外部接続端子および各第１スイッチの接続点と各第２スイッチおよび各バッファアンプの接続点間に接続された第３スイッチと、前記各外部接続端子および各第１スイッチの接続点と各バッファアンプおよび各内部接続端子の接続点間に接続された第４スイッチとを含むことを特徴とする。
（４）本発明の液晶表示装置は、上記（１）項のの液晶駆動用半導体集積回路を複数個カスケード接続し、各液晶駆動用半導体集積回路間で前記各外部接続端子を接続し、そのうち１つの液晶駆動用半導体集積回路は、内部で生成した階調電圧を前記内部回路に供給して駆動するとともに外部接続端子にも供給し、残りの液晶駆動用半導体集積回路は、前記１つの液晶駆動用半導体集積回路からの階調電圧を前記外部接続端子を介して内部回路に供給して駆動する。
（５）本発明の液晶表示装置は、上記（２）項の液晶駆動用半導体集積回路を複数個カスケード接続し、各液晶駆動用半導体集積回路間で前記各外部接続端子を接続し、そのうち１つの液晶駆動用半導体集積回路は、前記第１スイッチおよび第２スイッチをＯＮ制御するとともに、前記第３スイッチをＯＦＦ制御して駆動し、残りの液晶駆動用半導体集積回路は、前記第３スイッチをＯＮ制御するとともに、前記第１スイッチおよび第２スイッチをＯＦＦ制御して駆動する。
（６）本発明の液晶表示装置は、上記（３）項の液晶駆動用半導体集積回路を複数個カスケード接続し、各液晶駆動用半導体集積回路間で前記各外部接続端子を接続し、そのうち１つの液晶駆動用半導体集積回路は、前記第１スイッチおよび第２スイッチをＯＮ制御するとともに、前記第３スイッチおよび第４スイッチをＯＦＦ制御して駆動し、／または、前記第２スイッチおよび第４スイッチをＯＮ制御するとともに、前記第１スイッチおよび第３スイッチをＯＦＦ制御して駆動し、残りの液晶駆動用半導体集積回路は、前記第３スイッチをＯＮ制御するとともに、前記第１スイッチ、第２スイッチおよび第４スイッチをＯＦＦ制御して駆動する。
【０００７】
【発明の実施の形態】
以下、本発明の第１実施例の水平ドライバＩＣについて図１を参照して説明する。水平ドライバＩＣ２０は、３８４本のデータ線に対応して表示データとしてｎ＝４ビットの階調データ信号Ｄ３〜Ｄ０を内部の図示しない回路に供給することにより、出力回路２１から階調データ信号Ｄ３〜Ｄ０に基づいた１６階調の階調電圧を駆動電圧として３８４本のデータ線に出力するもので、出力回路２１への階調電圧を供給するγカーブ補正電源回路２２を内蔵している。
【０００８】
γカーブ補正電源回路２２は、図２に示すように、電源端子ＶAAとグランド端子ＶSS間に直列接続された抵抗Ｒ０〜Ｒ１６と、各分圧点Ｐ０〜Ｐ１５の電位を出力するバッファアンプＡ０〜Ａ１５と、各分圧点Ｐ０〜Ｐ１５に接続される外部接続端子Ｖ0〜Ｖ15と、バッファアンプＡ０〜Ａ１５を出力回路２１に接続する内部接続端子Ｖ０’〜Ｖ１５’と、各外部接続端子Ｖ0〜Ｖ15と各分圧点Ｐ０〜Ｐ１５間に接続された第１スイッチＳ１０〜Ｓ１１５と、各分圧点Ｐ０〜Ｐ１５とバッファアンプＡ０〜Ａ１５間に接続された第２スイッチＳ２０〜Ｓ２１５と、各外部接続端子Ｖ0〜Ｖ15およびスイッチＳＳ１０〜Ｓ１１５の接続点とバッファアンプＡ０〜Ａ１５および内部接続端子Ｖ０’〜Ｖ１５’の接続点間に接続された第３スイッチＳ３０〜Ｓ３１５とを含んでいる。
【０００９】
上記構成の水平ドライバＩＣ２０を液晶表示装置として、図５に示すように、３個カスケード接続するとき、γカーブ補正電源回路２２は各水平ドライバＩＣ２０間で各外部接続端子Ｖ0〜Ｖ15同士が、外部配線で接続される。この接続状態でのγカーブ補正電源回路２２の動作を説明する。１段目の水平ドライバＩＣ２０のスイッチＳ１０〜Ｓ１１５，Ｓ２０〜Ｓ２１５と２段目および３段目の水平ドライバＩＣ２０のスイッチＳ３０〜Ｓ３１５をＯＮ制御し、１段目の水平ドライバＩＣ２０のスイッチＳ３０〜Ｓ３１５と２段目および３段目の水平ドライバＩＣ２０のスイッチＳ１０〜Ｓ１１５，Ｓ２０〜Ｓ２１５をＯＦＦ制御すると、２段目および３段目の水平ドライバＩＣ２０のγカーブ補正電源回路２２において、バッファアンプＡ０〜Ａ１５から抵抗Ｒ０〜Ｒ１６が切り離され、その代わりに１段目の水平ドライバＩＣ２０のγカーブ補正電源回路２２に含まれる抵抗Ｒ０〜Ｒ１６が接続される。従って、各水平ドライバＩＣ２０は、１段目の水平ドライバＩＣ２０のγカーブ補正電源回路２２に含まれる抵抗Ｒ０〜Ｒ１６を用いて、諧調電圧を生成するので、同一諧調でデータ線を駆動した場合、同一の駆動電圧が供給され、液晶パネル１００の表示される色のばらつきがなくなる。また、２段目および３段目の水平ドライバＩＣ２０に内蔵の抵抗Ｒ０〜Ｒ１６を用いないので、それらの抵抗Ｒ０〜Ｒ１６には電流が流れず、消費電流を低減することができる。尚、各水平ドライバＩＣ２０間で諧調電圧の精度をあまり必要としない場合、各水平ドライバＩＣ２０の各外部接続端子Ｖ0〜Ｖ15同士を外部配線で接続しないで、各水平ドライバＩＣ２０ともスイッチＳ２０〜Ｓ２１５をオン制御し、スイッチＳ１０〜Ｓ１１５，Ｓ３０〜Ｓ３１５をオフ制御すればよい。また、各水平ドライバＩＣ２０に外部からのγカーブ補正電源を接続する場合は、各水平ドライバＩＣ２０の各外部接続端子Ｖ0〜Ｖ15同士を外部配線で接続しないで、各水平ドライバＩＣ２０ともスイッチＳ１０〜Ｓ１１５，Ｓ２０〜Ｓ２１５をオン制御し、スイッチＳ３０〜Ｓ３１５をオフ制御すればよい。
【００１０】
次に、本発明の第２実施例の水平ドライバＩＣについて図３を参照して説明する。水平ドライバＩＣ３０は、３８４本のデータ線に対応して表示データとしてｎ＝４ビットの階調データ信号Ｄ３〜Ｄ０を内部の図示しない回路に供給することにより、出力回路３１から階調データ信号Ｄ３〜Ｄ０に基づいた１６階調の階調電圧を駆動電圧として３８４本のデータ線に出力するもので、出力回路３１への階調電圧を供給するγカーブ補正電源回路３２を内蔵している。
【００１１】
γカーブ補正電源回路３２は、図４に示すように、電源端子ＶAAとグランド端子ＶSS間に直列接続された抵抗Ｒ０〜Ｒ１６と、各分圧点Ｐ０〜Ｐ１５の電位を出力するバッファアンプＡ０〜Ａ１５と、各分圧点Ｐ０〜Ｐ１５に接続される外部接続端子Ｖ0〜Ｖ15と、バッファアンプＡ０〜Ａ１５を出力回路３１に接続する内部接続端子Ｖ０’〜Ｖ１５’と、各外部接続端子Ｖ0〜Ｖ15と各分圧点Ｐ０〜Ｐ１５間に接続された第１スイッチＳ１０〜Ｓ１１５と、各分圧点Ｐ０〜Ｐ１５とバッファアンプＡ０〜Ａ１５間に接続された第２スイッチＳ２０〜Ｓ２１５と、各外部接続端子Ｖ0〜Ｖ15およびスイッチＳ１０〜Ｓ１１５の接続点とバッファアンプＡ０〜Ａ１５および内部接続端子Ｖ０’〜Ｖ１５’の接続点間に接続された第３スイッチＳ３０〜Ｓ３１５と、各外部接続端子Ｖ0〜Ｖ15およびスイッチＳ１０〜Ｓ１１５の接続点とバッファアンプＡ０〜Ａ１５および内部接続端子Ｖ０’〜Ｖ１５’の接続点間に接続された第４スイッチＳ４０〜Ｓ４１５とを含んでいる。
【００１２】
上記構成の水平ドライバＩＣ３０を液晶表示装置として３個カスケード接続するとき、γカーブ補正電源回路３２は各水平ドライバＩＣ３０間で各外部接続端子Ｖ0〜Ｖ15同士が外部配線で接続される。この接続状態でのγカーブ補正電源回路３２の動作を説明する。
先ず、第１のスイッチ制御例を説明する。１段目の水平ドライバＩＣ３０のスイッチＳ１０〜Ｓ１１５，Ｓ２０〜Ｓ２１５と２段目および３段目の水平ドライバＩＣ３０のスイッチＳ３０〜Ｓ３１５をＯＮ制御し、１段目の水平ドライバＩＣ３０のスイッチＳ３０〜Ｓ３１５，Ｓ４０〜Ｓ４１５と２段目および３段目の水平ドライバＩＣ３０のスイッチＳ１０〜Ｓ１１５，Ｓ２０〜Ｓ２１５，Ｓ４０〜Ｓ４１５をＯＦＦ制御すると、２段目および３段目の水平ドライバＩＣ３０のγカーブ補正電源回路３２において、バッファアンプＡ０〜Ａ１５から抵抗Ｒ０〜Ｒ１６が切り離され、その代わりに１段目の水平ドライバＩＣ３０のγカーブ補正電源回路３２に含まれる抵抗Ｒ０〜Ｒ１６が接続される。従って、各水平ドライバＩＣ３０は、１段目の水平ドライバＩＣ３０のγカーブ補正電源回路３２に含まれる抵抗Ｒ０〜Ｒ１６を用いて、諧調電圧を生成するので、同一諧調でデータ線を駆動した場合、同一の駆動電圧が供給され、液晶パネル１００の表示される色のばらつきがなくなる。また、２段目および３段目の水平ドライバＩＣ３０に内蔵の抵抗Ｒ０〜Ｒ１６を用いないので、それらの抵抗Ｒ０〜Ｒ１６には電流が流れず、消費電流を低減することができる。
【００１３】
次に、第２のスイッチ制御例を説明する。１段目の水平ドライバＩＣ３０のスイッチＳ２０〜Ｓ２１５，Ｓ４０〜Ｓ４１５と２段目および３段目の水平ドライバＩＣ３０のスイッチＳ３０〜Ｓ３１５をＯＮ制御し、１段目の水平ドライバＩＣ３０のスイッチＳ１０〜Ｓ１１５，Ｓ３０〜Ｓ３１５と２段目および３段目の水平ドライバＩＣ３０のスイッチＳ１０〜Ｓ１１５，Ｓ２０〜Ｓ２１５，Ｓ４０〜Ｓ４１５をＯＦＦ制御すると、２段目および３段目の水平ドライバＩＣ３０のγカーブ補正電源回路３２において、バッファアンプＡ０〜Ａ１５から抵抗Ｒ０〜Ｒ１６が切り離され、その代わりに１段目の水平ドライバＩＣ３０のγカーブ補正電源回路３２に含まれる抵抗Ｒ０〜Ｒ１６がバッファアンプＡ０〜Ａ１５を介して接続される。従って、各水平ドライバＩＣ３０は、１段目の水平ドライバＩＣ３０のγカーブ補正電源回路３２に含まれる抵抗Ｒ０〜Ｒ１６を用いて、諧調電圧を生成するので、同一諧調でデータ線を駆動した場合、同一の駆動電圧が供給され、表示される色のばらつきがなくなる。また、２段目および３段目の水平ドライバＩＣ３０に内蔵の抵抗Ｒ０〜Ｒ１６を用いないので、それらの抵抗Ｒ０〜Ｒ１６には電流が流れず、消費電流を低減することができる。尚、各水平ドライバＩＣ３０間で諧調電圧の精度をあまり必要としない場合、各水平ドライバＩＣ３０の各外部接続端子Ｖ0〜Ｖ15同士を外部配線で接続しないで、各水平ドライバＩＣ３０ともスイッチＳ２０〜Ｓ２１５をオン制御し、スイッチＳ１０〜Ｓ１１５，Ｓ３０〜Ｓ３１５，Ｓ４０〜Ｓ４１５をオフ制御すればよい。また、各水平ドライバＩＣ３０に外部からのγカーブ補正電源を接続する場合は、各水平ドライバＩＣ３０の各外部接続端子Ｖ0〜Ｖ15同士を外部配線で接続しないで、各水平ドライバＩＣ３０ともスイッチＳ１０〜Ｓ１１５，Ｓ２０〜Ｓ２１５をオン制御し、スイッチＳ３０〜Ｓ３１５，Ｓ４０〜Ｓ４１５をオフ制御すればよい。
【００１４】
【発明の効果】
本発明によれば、液晶駆動用半導体集積回路として、内蔵のγカーブ補正電源回路が、内部で生成した階調電圧を内部回路とγカーブ補正電源回路に設けた外部接続端子とに選択的に供給可能であり、さらに外部からの階調電圧を外部接続端子に供給し内部回路に選択的に供給可能としたので、液晶表示装置として、この液晶駆動用半導体集積回路を複数個カスケード接続した場合、複数個のうち１個の液晶駆動用半導体集積回路に含まれるγカーブ補正電源回路からの階調電圧を共用でき、液晶駆動用半導体集積回路間で諧調電圧にばらつきを生じないため、液晶駆動用半導体集積回路間で液晶パネルの表示される色のばらつきがなくなる。また、複数個のうち残りの液晶駆動用半導体集積回路に含まれるγカーブ補正電源回路の抵抗には電流が流れず、消費電流を低減することができる。
【図面の簡単な説明】
【図１】  本発明の第１実施例の水平ドライバＩＣの要部構成を示すブロック図。
【図２】  図１におけるγカーブ補正電源回路の構成を示す回路図。
【図３】  本発明の第２実施例の水平ドライバＩＣの要部構成を示すブロック図。
【図４】  図３におけるγカーブ補正電源回路の構成を示す回路図。
【図５】  液晶表示装置の概略構造図。
【図６】  従来の水平ドライバＩＣの要部構成を示すブロック図。
【図７】  図６におけるγカーブ補正電源回路の構成を示す回路図。
【符号の説明】
２０、３０  水平ドライバＩＣ
２１、３１  出力回路
２２、３２  γカーブ補正電源回路
Ｓ１０〜Ｓ１１５  第１スイッチ
Ｓ２０〜Ｓ２１５  第２スイッチ
Ｓ３０〜Ｓ３１５  第３スイッチ
Ｓ４０〜Ｓ４１５  第４スイッチ
Ａ０〜Ａ１５  バッファアンプ
Ｖ０〜Ｖ１５  外部接続端子
Ｖ０’〜Ｖ１５’  内部接続端子
Ｒ０〜Ｒ１６  抵抗
Ｐ０〜Ｐ１５  分圧点
【図１】
0004675485.tif 000002
【図２】
0004675485.tif 000003
【図３】
0004675485.tif 000004
【図４】
0004675485.tif 000005
【図５】
0004675485.tif 000006
【図６】
0004675485.tif 000007
【図７】
0004675485.tif 000008